(57)【特許請求の範囲】
【請求項１】
ロングタームエヴォルーション（ＬＴＥ）能力のある無線送受信ユニット（ＷＴＲＵ）が非常事態警報情報を受信する方法において、
非常事態警報のためのスケジューリング情報がＬＴＥシステム情報ブロックタイプ１（ＳＩＢ  １）の中に現れることになることを示す、非常事態インジケータを含むＬＴＥページングメッセージを受信するステップと、
前記非常事態警報を含む第２のシステム情報ブロックのためのスケジューリング情報を含んでいる前記ＬＴＥ  ＳＩＢ  １を受信するステップと、
前記ＬＴＥ  ＳＩＢ  １の中の前記スケジューリング情報を使用して、前記非常事態警報を含んでいる前記第２のＳＩＢを受信するステップと、
前記第２のＳＩＢを処理して、前記非常事態警報を高位レイヤに転送するステップと
を備えることを特徴とする方法。
【請求項２】
前記非常事態警報は、非常事態タイプを示すコードを含むことを特徴とする請求項１に記載の方法。
【請求項３】
前記第２のＳＩＢは、複数の非常事態警報情報を含むことを特徴とする請求項１に記載の方法。
【請求項４】
前記非常事態警報情報は、前記ＷＴＲＵの地理的位置に基づくことを特徴とする請求項１に記載の方法。
【請求項５】
前記ＷＴＲＵは、前記ＬＴＥページングメッセージを受信するとき、無線リソース制御（ＲＲＣ）アイドルモードで動作していることを特徴とする請求項１に記載の方法。
【請求項６】
非常事態警報情報を受信するように構成されたロングタームエヴォルーション（ＬＴＥ）能力のある無線送受信ユニット（ＷＴＲＵ）において、
非常事態警報のためのスケジューリング情報がＬＴＥシステム情報ブロックタイプ１（ＳＩＢ  １）の中に現れることになることを示す、非常事態インジケータを含むＬＴＥページングメッセージ、
前記非常事態警報を含む第２のシステム情報ブロックのためのスケジューリング情報を含んでいる前記ＬＴＥ  ＳＩＢ  １、および、
前記ＬＴＥ  ＳＩＢ  １の中の前記スケジューリング情報を使用して、前記非常事態警報を含んでいる前記第２のＳＩＢを受信するように構成された受信機と、
前記第２のＳＩＢを処理して、前記非常事態警報を高位レイヤに転送するように構成されたプロセッサと
を備えたことを特徴とするＷＴＲＵ。
【請求項７】
前記非常事態警報は、非常事態タイプを示すコードを含むことを特徴とする請求項６に記載のＷＴＲＵ。
【請求項８】
前記第２のＳＩＢは、複数の非常事態警報情報を含むことを特徴とする請求項６に記載のＷＴＲＵ。
【請求項９】
前記受信機は、前記ＷＴＲＵの地理的位置に基づいて、前記非常事態警報情報を受信するようさらに構成されていることを特徴とする請求項６に記載のＷＴＲＵ。
【請求項１０】
前記ＷＴＲＵは、前記ＬＴＥページングメッセージを受信するとき、無線リソース制御（ＲＲＣ）アイドルモードで動作するように構成されていることを特徴とする請求項６に記載のＷＴＲＵ。
【請求項１１】
非常事態警報情報を無線送受信ユニット（ＷＴＲＵ）に送信するように構成されたロングタームエヴォルーション（ＬＴＥ）ｅノードＢ（ｅＮＢ）において、
ネットワークから、非常事態警報を受信するよう構成されたプロセッサと、
非常事態警報のためのスケジューリング情報がＬＴＥシステム情報ブロックタイプ１（ＳＩＢ  １）の中に現れることになることを示す、非常事態インジケータを含むＬＴＥページングメッセージ、
前記非常事態警報を含む第２のシステム情報ブロックのためのスケジューリング情報を含んでいる前記ＬＴＥ  ＳＩＢ  １、および、
前記ＬＴＥ  ＳＩＢ  １の中の前記スケジューリング情報を使用して、前記非常事態警報を含んでいる前記第２のＳＩＢを送信するように構成された送信機と
を備えたことを特徴とするｅＮＢ。
【請求項１２】
前記非常事態警報は、非常事態タイプを示すコードを含むことを特徴とする請求項１１に記載のｅＮＢ。
【請求項１３】
前記第２のＳＩＢは、複数の非常事態警報情報を含むことを特徴とする請求項１１に記載のｅＮＢ。
【請求項１４】
前記送信機は、前記ＷＴＲＵの地理的位置に基づいて、前記非常事態警報情報を送信するようさらに構成されていることを特徴とする請求項１１に記載のｅＮＢ。
【請求項１５】
前記ｅＮＢは、無線リソース制御（ＲＲＣ）アイドルモードで動作をしている前記ＷＴＲＵへ、前記ＬＴＥページングメッセージを送信するよう構成されていることを特徴とする請求項１１に記載のｅＮＢ。
【発明の詳細な説明】
【技術分野】
【０００１】
本発明は、無線通信に関する。
【背景技術】
【０００２】
第３世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）は、スペクトル効率を改善しユーザの体感速度を速くするために、新しい技術、新しいネットワークアーキテクチャ、新しい構成、ならびに新しいアプリケーションおよびサービスを無線ネットワークにもたらすＬｏｎｇ  Ｔｅｒｍ  Ｅｖｏｌｕｔｉｏｎ（ＬＴＥ）プログラムを開始した。
【発明の概要】
【発明が解決しようとする課題】
【０００３】
しかしながら、広範囲にわたる領域において大きな損害を引き起こす可能性のある人為的および自然発生的な非常事態（エマージェンシー）が数多く存在する。たとえば、ハリケーン、台風、竜巻、洪水、化学物質の流出、爆発などにより、生命および所有物に深刻な損失が生じる可能性がある。現在、特定の政府機関および商業機関は、サイレン、ラジオ、および／またはテレビを通じて警告（warning）を提供しているが、ＬＴＥネットワークの無線送受信ユニット（ＷＴＲＵ）に組み込まれた公共警告システムは、これらの危険について大勢の人々に警告できる確率を増加させる可能性がある。
【０００４】
図１は、従来技術によるＬＴＥ制御プレーンのプロトコルスタック１００を示す図である。プロトコルスタック１００は、ＷＴＲＵ１０２およびｅＮｏｄｅ  Ｂ（ｅＮＢ）１２０に配置することができる。スタックは、無線リソース制御（ＲＲＣ）１０４、１２４、パケットデータ制御プロトコル（ＰＤＣＰ）１０６、１２６、無線リンク制御（ＲＬＣ）１０８、１２８、媒体アクセス制御（ＭＡＣ）１１０、１３０、ならびに物理層（ＰＨＹ）１１２、１３２を含む。また、非アクセス層（ＮＡＳ）１１４、１４４は、ＷＴＲＵ１０２およびモビリティ管理エンティティ（ＭＭＥ）１４０に存在することができる。
【０００５】
図２は、従来技術によるＬＴＥユーザプレーンのプロトコルスタック２００を示す図である。ユーザプレーンのプロトコルスタック２００は、ＷＴＲＵ２０２およびｅＮＢ２２２に存在することができる。ユーザプレーンのプロトコルスタック２００は、ＰＤＣＰ２０４、２２４、ＲＬＣ２０６、２２６、ＭＡＣ２０８、２２８、ならびに物理層２１０、２３０を含むことができる。
【０００６】
ＬＴＥ通信システムでは、ＷＴＲＵとｅＮＢとは、適切に通信するために動作パラメータを共有することができる。ｅＮＢが動作パラメータに関してＷＴＲＵに通知する方法の１つに、ｅＮＢがＷＴＲＵにシステム情報を伝送することがある。システム情報とは、ＷＴＲＵがセルとどのように通信するかに関する一般情報であり、たとえば、伝送帯域幅、チャネル構成、セルの負荷、電力制御パラメータなどがある。
【０００７】
比較的大量のシステム情報が、セル内のｅＮＢによって伝送されることがある。したがって、システム情報の伝送を整理（organize）するために、情報を複数のシステム情報ブロック（ＳＩＢ）に分割することができる。特定のＳＩＢで運ばれるシステム情報のタイプは一定であるが、各ＳＩＢで運ばれる情報の値は変化することがある。
【０００８】
一部のＳＩＢは、周期性など、同じスケジュール要件を保持することができる。複数のシステム情報（ＳＩ）メッセージが同じ周期で伝送されることもある。各ＳＩＢは、１組の関連するＳＩパラメータを含むことができる。従来技術において、たとえば、マスターインフォメーションブロック（ＭＩＢ：Ｍａｓｔｅｒ  Ｉｎｆｏｒｍａｔｉｏｎ  Ｂｌｏｃｋ）など、複数のＳＩＢが定義されている。ＭＩＢは、頻繁に伝送されるパラメータを限られた数だけ含むことができる。定義されている他のＳＩＢには、ＳＩＢタイプ１がある。ＳＩＢタイプ１はスケジュール情報を含むことができ、またＳＩメッセージがいつ伝送されるかに関するインジケータ（indicator）を含むことができる。システム情報マスター（ＳＩ−Ｍ：Ｓｙｓｔｅｍ  ｉｎｆｏｒｍａｔｉｏｎ  ｍａｓｔｅｒ）およびシステム情報１（ＳＩ−１：ｓｙｓｔｅｍ  ｉｎｆｏｒｍａｔｉｏｎ  １）は、ＳＩメッセージの特殊なバージョンであり、ＳＩＢを１つだけ、すなわち、それぞれＭＩＢおよびＳＩＢタイプ１を運ぶ。ＳＩ−Ｍメッセージは報知チャネル（ＢＣＨ）で運ばれるのに対して、他のすべてのＳＩメッセージは、ダウンリンク同期チャネル（ＤＬ−ＳＣＨ）で運ばれる。ＢＣＨで運ばれるシステム情報は、ＭＩＢに含まれる。他のすべてのシステム情報はＤＬ−ＳＣＨで運ばれる。
【０００９】
ＲＲＣ＿ＩＤＬＥ状態にあるＷＴＲＵに、システム情報の変更に関して通知するために、ページングメッセージを使用することができる。ＲＲＣ＿ＣＯＮＮＥＣＴＥＤ状態のＷＴＲＵは、定期的に、およびこの目的のために特に定義された時間に、物理ダウンリンク制御チャネル（ＰＤＣＣＨ）を監視することができる。ＷＴＲＵがＰＤＣＣＨでシステム情報変更ＲＮＴＩ（無線ネットワーク一時識別子：Ｒａｄｉｏ  Ｎｅｔｗｏｒｋ  Ｔｅｍｐｏｒａｒｙ  Ｉｄｅｎｔｉｆｉｅｒ）を検出すると、ＷＴＲＵは、システム情報変更が次の修正期間の境界において発生すると判断することができる。
【００１０】
ＳＩ−１メッセージは、変更がＳＩ−ＭおよびＳＩ−１以外のシステム情報に発生したかどうかを示すことができる値タグを含む。ＷＴＲＵは、受信範囲外から戻ったときにこの値タグを使用して、以前に取得したシステム情報がまだ有効かどうかを検証することができる。ＷＴＲＵは、システム情報を受信したときから最大６時間はシステム情報が有効であると見なすことができる。
【００１１】
図３は、従来技術によるＷＴＲＵ３００の機能モデルを示す図である。ＷＴＲＵ３００とネットワークとの間のインターフェイスは無線インターフェイスである。ＷＴＲＵ３００は複数のドメインに分割することができ、ドメインは基準点によって分離される。一部の定義済みドメインは、汎用加入者識別モジュール（ＵＳＩＭ）ドメイン３０２およびモバイル装置（ＭＥ）ドメイン３０４である。ＭＥドメイン３０４は、複数の機能グループ間の接続を示す複数のコンポーネントにさらに分割することができる。これらのグループは、１つまたは複数のハードウェアデバイスに実装することができる。そのような接続の一例を挙げると、端末装置（ＴＥ）３０６と移動体終端器（ＭＴ）３０８とのインターフェイスがある。
【００１２】
図４は、図３の機能図３００に対応付けられている物理コンポーネント４００のブロック図である。汎用集積回路カード（ＵＩＣＣ：ｕｎｉｖｅｒｓａｌ  ｉｎｔｅｇｒａｔｅｄ  ｃｉｒｃｕｉｔ  ｃａｒｄ）４０２は、図３のＵＳＩＭ３０２の物理的な実装でもよい。ＷＴＲＵ４０４の他の部分は、図３のＭＴ３０８を物理的に表現したものでもよく、また、パーソナルコンピュータ４０６は、図３のＴＥ３０６を物理的に実現したものでも良い。
【００１３】
端末装置（ＴＥ）から端末アダプタ（ＴＡ）を介してＭＴ機能およびＧＳＭ／Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）ネットワークサービスを制御するために、「Ａｔｔｅｎｔｉｏｎ」（ＡＴ）コマンドを使用することができる。ＡＴコマンドの使用は抽象アーキテクチャを想定している。図５は、ＡＴコマンドを組み込むことができる抽象アーキテクチャ５００のブロック図を示している。アーキテクチャ５００は、ＴＥ５０２、ＭＴ５０６、およびＴＥ５０２とＭＴ５０６との間のインターフェイスとして使用されるＴＡ５０４を含む。ＴＥ５０２は、たとえばコンピュータでも良い。ＭＴ５０６は、ＭＴ状態メッセージ５０８をＴＡ５０４に送信し、ＭＴ制御メッセージ５１０をＴＡ５０４から受信することができる。ＴＥ５０２は、ＡＴコマンド５１２をＴＡ５０４に送信し、応答５１４をＴＡ５０４から受信することができる。図５に示すように、ＴＡ５０４、ＭＴ５０６、およびＴＥ５０２は別々のエンティティである。しかし、ＴＥ５０２は別のエンティティとして実装しながら、ＴＡ５０４はＭＴ５０６の下に統合することができる（構成は図示せず）。また、ＴＡ５０４はＴＥ５０２の下に統合しながら、ＭＴ５０６は別のエンティティとして実装することができる（構成は図示せず）。最後に、ＴＡ５０４およびＭＴ５０６はどちらも、単一のエンティティとしてＴＥ５０２の下に統合することができる（構成は図示せず）。
【課題を解決するための手段】
【００１４】
ＷＴＲＵが非常事態通知を受信する方法および装置を開示する。この方法および装置は、ＷＴＲＵが、非常事態通知を伴うページングメッセージを受信することと、ＷＴＲＵが、システム情報ブロック内のスケジュール情報を受信することとを含むことができる。また、ＷＴＲＵは、他のシステム情報ブロック内の非常事態情報を受信することもできる。より詳細については、例として以下に示す説明および添付の図面によって理解され得るであろう。
【図面の簡単な説明】
【００１５】
【図１】従来技術によるＬＴＥ制御プレーンのプロトコルスタックを示す図である。
【図２】従来技術によるＬＴＥユーザプレーンのプロトコルスタックを示す図である。
【図３】従来技術によるＷＴＲＵの機能モデルを示す図である。
【図４】図３の機能図に対応付けられた物理コンポーネントのブロック図である。
【図５】従来技術に従ってＡＴコマンドを組み込んだ抽象アーキテクチャのブロック図である。
【図６】一実施形態による無線通信システムを示す図である。
【図７】図６の無線通信システムのＷＴＲＵおよびｅＮＢの機能ブロック図である。
【図８】一実施形態によるＷＴＲＵ緊急手順のブロック図である。
【図９】一実施形態によるＷＴＲＵ緊急手順のブロック図である。
【発明を実施するための形態】
【００１６】
以下、「無線送受信ユニット（ＷＴＲＵ）」という用語は、ユーザ装置（ＵＥ）、移動局、固定もしくは移動可能な加入者端末、携帯無線呼出し、携帯電話、携帯情報端末（ＰＤＡ）、コンピュータ、または無線環境において動作可能なその他のあらゆる種類のユーザ用装置を含むが、これらには限定されない。以下、「基地局」という用語は、Ｎｏｄｅ−Ｂ、サイトコントローラ、アクセスポイント（ＡＰ）、または無線環境において動作可能なその他のあらゆる種類の接続装置を含むが、これらには限定されない。
【００１７】
図６は、複数のＷＴＲＵ６１０およびｅＮＢ６２０を含む無線通信システム６００を示す図である。図６に示すように、ＷＴＲＵ６１０はｅＮＢ６２０と通信する。図６には、３つのＷＴＲＵ６１０および１つのｅＮＢ６２０が示されているが、無線機器および有線機器を任意に組み合わせて無線通信システム６００に含められることに留意されたい。
【００１８】
図７は、図６の無線通信システム６００のＷＴＲＵ６１０およびｅＮＢ６２０の機能ブロック図７００である。図６に示すように、ＷＴＲＵ６１０はｅＮＢ６２０と通信する。ＷＴＲＵ６１０は、ｅＮＢ６２０からシステム情報およびシステム情報変更通知を受信するように構成される。また、ＷＴＲＵ６１０はＲＲＣメッセージおよび情報要素を送受信するようにも構成される。報知チャネル（ＢＣＣＨ）において、ｅＮＢ６２０は信号を伝送するように構成することができ、ＷＴＲＵ６１０は信号を受信および監視するように構成することができる。ＷＴＲＵ６１０は、ページングメッセージおよび他のダウンリンクシグナリングを受信するように構成することができる。
【００１９】
一般的なＷＴＲＵに見られるコンポーネントに加えて、ＷＴＲＵ６１０は、プロセッサ７１５、受信機７１６、送信機７１７、およびアンテナ７１８を含む。また、ＷＴＲＵ６１０はユーザインターフェイス７２１を含み、ユーザインターフェイス７２１は、ＬＣＤまたはＬＥＤの画面、タッチスクリーン、キーボード、スタイラス、または他の一般的なＩ／Ｏデバイスを含むことができるが、これらに限定されるものではない。また、ＷＴＲＵ６１０は、揮発性および不揮発性のメモリ７１９に加えて、ユニバーサルシリアルバス（ＵＳＢ）ポート、シリアルポートなど、他の装置へのインターフェイス７２０を含むことができる。受信機７１６および送信機７１７は、プロセッサ７１５と通信する。アンテナ７１８は、受信機７１６および送信機７１７の両方と通信して、無線データの送受信を促進する。
【００２０】
一般的なｅＮＢに見られるコンポーネントに加えて、ｅＮＢ６２０は、プロセッサ７２５、受信機７２６、送信機７２７、およびアンテナ７２８を含む。受信機７２６および送信機７２７は、プロセッサ７２５と通信する。アンテナ７２８は、受信機７２６および送信機７２７の両方と通信して、無線データの送受信を促進する。
【００２１】
ＲＲＣシステム情報は、ＷＴＲＵに非常事態を通知するために利用することができる。警告は、ネットワーク内のすべてのｅＮＢに配布することができる。ＲＲＣレイヤは、１もしくは複数のＳＩＢまたはＭＩＢに警告を配置することができる。ＳＩＢまたはＭＩＢは、以下を含むことができる。
【００２２】
ａ．緊急の通知
ｂ．特定の状況に対応付けられたコードまたは値
ｃ．非常事態および推奨される対応処置について説明するテキストメッセージ
ｄ．詳細情報を提供するための折り返し用電話番号
ｅ．詳細情報を提供するためのインターネットアドレス
ｆ．ＷＴＲＵまたはユーザの位置情報
ｇ．病院や警察署など、最も近い救急サービス提供者に関する情報
ｈ．時間
ｉ．緊急情報または緊急情報の変更を含むシステム情報の更新が利用可能であることのインジケータ
【００２３】
情報は、複数のＳＩＢに含めることができる。たとえば、非常事態が存在するという情報は、ＳＵ−１など、頻繁に繰り返されるスケジューリングユニット（ＳＵ）で運ぶことができる。詳細情報は、他のＳＵで運ぶことができる。
【００２４】
あるいは、変化が速いまたは頻繁に繰り返されるＳＩＢを使用して、緊急目的に必要な情報をすべて運ぶこともできる。ＷＴＲＵは、報知チャネル（ＢＣＨ）またはダウンリンク共有チャネル（ＤＬ−ＳＣＨ）などのダウンリンクチャネルを事前に定義された間隔で監視できるため、変化が速いＳＩＢを受信したときに、ＷＴＲＵは緊急情報に基づいて機能することができる。さらに、ＷＴＲＵはＭＩＢおよび／またはスケジュール情報を監視して、非常事態用のＳＩＢがいつ送信されるかを検知することができる。ＷＴＲＵのＲＲＣは、非常事態に関係するシステム情報を取得することができる。次に、ＲＲＣはＮＡＳと通信し、非常事態用ＳＩＢに含まれている情報を処理するためにＮＡＳに渡す。
【００２５】
非常事態が発生すると、ＷＴＲＵは、システム情報が変更されていること、および緊急情報が後続することを示すページを受信することができる。ＷＴＲＵは、更新されたシステム情報を読み込んで、どの情報が新しいか、または変更されているかを検知することができる。
【００２６】
別の実施形態では、「ページング理由（ｐａｇｉｎｇ  ｃａｕｓｅ）」をページングメッセージ／レコードに追加して、システム情報変更の変更は、非常事態が原因であることを示すことができる。ＷＴＲＵはページング理由を分析することができる。システム情報が変更されたことを検出したら、ＷＴＲＵは、非常事態情報を含むＳＩＢを読み込んで、適切なレイヤおよびアプリケーションに通知する。
【００２７】
あるいは、ＷＴＲＵは、非常事態が発生したことを示すページを受信することができる。ページング理由は、非常事態が存在することを示す情報を含むことができる。たとえば、ページを受信すると、ＷＴＲＵは適切なＳＩＢを読み込むことができる。また、緊急アクセスに使用されるセルに存在するＷＴＲＵは、社会的非常事態の通知用のページングチャネルだけをリスンすることができる。
【００２８】
あるいは、ＷＴＲＵは、たとえばＭＩＢに含まれている値Ｎを受信することができる。システムフレーム番号（ＳＦＮ）ｍｏｄ  Ｎ＝０の場合（またはＮ番目のすべてのフレーム）、ＷＴＲＵはＤＬ−ＳＣＨを読み込んで、伝送されている警告に関する情報を検知することができる。警告ＳＩＢの位置は、伝送されるときは静的でもよい。あるいは、警告ＳＩＢの位置を事前に定義して、ＷＴＲＵが受信ウィンドウを適切に定義できるようにすることもできる。また、このようなＳＩＢの定期的な読み込みは、リスクが高い状況が認められたときにも実行することができる。
【００２９】
システム情報リソースが不足していたり不十分だったりして、非常事態の詳細を完全に記述した多くのテキストメッセージを運べない場合がある。しかし、非常事態中に無線経由で運ばれる情報の量を減らすことができる。
【００３０】
ＷＴＲＵには、特定の非常事態に対応するテキストメッセージを事前に読み込んでおいたり、事前に構成しておいたりできる。テキストメッセージの例を表１に示す。
【００３１】
【表１】
0005280464.tif 000002
【００３２】
表１に示すように、各非常事態コードは、特定の非常事態の記述に対応させることができる。非常事態コード「１」は津波警告に対応させることができ、コード「２」は地震警告に対応させることができ、また、コード「３」は化学物質の流出警告に対応させることができる。
【００３３】
さらに、たとえばマルチメディアメッセージなど、他の形式の事前に読み込んでおいたメッセージまたは事前に構成しておいたメッセージを利用することもできる。事前に構成しておいたメッセージは、たとえば、ＷＴＲＵのＵＳＩＭ／汎用集積回路カード（ＵＩＣＣ）または他の不揮発性メモリなどに記録することができる。ＷＴＲＵは、たとえば、オープンモバイルアライアンス（ＯＭＡ：Ｏｐｅｎ  Ｍｏｂｉｌｅ  Ａｌｌｉａｎｃｅ）メッセージなど、事前に構成しておいたメッセージを受信して処理することができる。あるいは、ＲＲＣまたはＮＡＳメッセージを使用して、ＷＴＲＵで非常事態コードおよび対応するテキストの記述を事前に構成しておくことができる。
【００３４】
非常事態の間には、ＷＴＲＵには、ＲＲＣシステム情報を通じて非常事態用のコードが通知される。次に、ＷＴＲＵは事前に格納された情報を使用してルックアップを実行し、非常事態に対応するテキストメッセージを決定することができる。次に、ＷＴＲＵはテキストメッセージをユーザに表示することができる。また、ＷＴＲＵはルックアップの後にマルチメディアメッセージを表示することもできる。これは、ユーザまたはオペレータが構成することができる。これにより、無線経由で伝送する必要のあるテキストメッセージ情報のサイズを小さくすることができる。
【００３５】
ＷＴＲＵは、ＷＴＲＵの特定の位置に基づいたメッセージを受信することができる。たとえば、津波警報には、海岸に近いＷＴＲＵ、海岸から１キロメートルの位置にあるＷＴＲＵ、海岸から５キロメートルの位置または高地にある別のＷＴＲＵに対して、異なるメッセージを設定できる。同じ警告に対して異なるメッセージを送る動作は、ｅＮＢの位置に基づいて、ｅＮＢに異なるメッセージを送るように管理するネットワークエンティティによって制御することができる。
【００３６】
ＲＲＣメッセージは、ＷＴＲＵに非常事態を通知するため、および公共警告メッセージを伝達するために、情報要素を使用して拡張することができる。ＷＴＲＵは、非常事態の影響を受ける可能性がある地域にサービスを提供するｅＮＢから非常事態通知を受信することができる。ｅＮＢのＲＲＣレイヤは、情報要素（ＩＥ）を含むＲＲＣメッセージに非常事態の通知を含む。ＩＥは、上記の緊急情報を含むことができる。
【００３７】
ＷＴＲＵがＲＲＣメッセージをより高速に解析することを可能にする決定論的なＡＳＮ．１定義を含む追加のＲＲＣメッセージを使用することができる。緊急情報を含むＩＥは、ＲＲＣによって優先度を高く指定することができ、他のＲＲＣメッセージの優先度を無視することができる。
【００３８】
ＮＡＳメッセージは、ＷＴＲＵに非常事態を通知するため、および公共警告メッセージを伝達するために、情報要素を使用して拡張することができる。ＷＴＲＵは、非常事態の影響を受ける可能性がある地域にサービスを提供するｅＮＢから非常事態通知を受信することができる。ｅＮＢのＮＡＳレイヤは、情報要素（ＩＥ）を含むＮＡＳメッセージに非常事態の通知を含むことができる。ＩＥは、上記の緊急情報を含むことができる。ＲＲＣレイヤがＮＡＳ緊急メッセージを受信すると、メッセージが緊急を要する性質であることが通知され、メッセージを最優先として処理するようにＲＲＣをトリガすることができる。
【００３９】
また、緊急メッセージは、ＮＡＳ  ＳＭＳメッセージでも、マルチメディアメッセージサービス（ＭＭＳ）メッセージでも良い。たとえば、ＭＭＳサービスには、ユーザが何をするべきかに関する指示を含む事前に記録しておいたメッセージを提供することができる。たとえば、ＭＭＳまたはＳＭＳには、マルチブロードキャスト／マルチメディアサービス（ＭＢＭＳ：ｍｕｌｔｉｂｒｏａｄｃａｓｔ／ｍｕｌｔｉｍｅｄｉａ  ｓｅｒｖｉｃｅ）を繰り返し提供して、ユーザに連絡できること保証することができる。
【００４０】
ページング機構を使用すると、ＷＴＲＵに非常事態を通知することができる。ページングを使用すると、ＲＲＣまたはＮＡＳのメッセージを使って、および／または公共警告情報を伝達するＩＥを使って、終端のＷＴＲＵに優先シグナリングを通知することができる。オプションとして、ページングを使用すると、公共警告情報を伝達するデータ無線ベアラを使って、定期的にＷＴＲＵに非常事態通知シグナリングを通知することができる。ページングメッセージ自体は緊急情報を伝達する。
【００４１】
ＷＴＲＵがページング理由を読み込んで分析した後は、次の動作はＲＲＣの状態およびＷＴＲＵが適切なセルでページを受信したかどうかによって異なる。ＲＲＣ＿ＩＤＬＥ状態のＷＴＲＵは、ランダムアクセスチャネル（ＲＡＣＨ）でランダムアクセス手順を実行することにより、最初にＲＲＣ接続を確立することができる。しかし、ＷＴＲＵがＲＲＣ＿ＣＯＮＮＥＣＴＥＤ状態にある場合は、ＲＡＣＨでランダムアクセス手順を実行する必要がない場合がある。ランダムアクセス手順が完了したら、ＷＴＲＵは、ダウンリンクリソースの割り当てのために物理ダウンリンク制御チャネル（ＰＤＣＣＨ）を監視することができる。
【００４２】
ダウンリンクでは、ＷＴＲＵは、ＮＡＳメッセージまたはＲＲＣメッセージとして、シグナリング無線ベアラ（ＳＲＢ）で非常事態通知を受信することができる。また、ＷＴＲＵは、ユーザデータアプリケーションとして、データ無線ベアラ（ＤＲＢ）で非常事態通知を受信することもできる。
【００４３】
非常事態通知をＲＲＣメッセージとして受信する場合、ＳＲＢ２など、優先度が高いメッセージ用に設計されたＳＲＢで運ぶことができる。他のＳＲＢも同様に使用することができる。非常事態通知をＮＡＳメッセージとして送信する場合、たとえば、ＳＲＢ１など、ＮＡＳメッセージを運ぶように設計されたＳＲＢを使用することができる。また、ＳＲＢ２やＳＲＢ０など、他のＳＲＢを使用することも可能である。
【００４４】
非常事態通知をデータとしてＤＲＢで送信する場合は、最優先ＤＲＢを使用して、ビット伝送速度が制約されることなく、他のあらゆるＤＲＢの前に、最優先ＤＲＢをスケジュールするようにすることができる。ＷＴＲＵは、割り当てられたリソースでダウンリンク伝送を受信して、非常事態通知メッセージを適切な上位レイヤに転送することができる。
【００４５】
特定のシステムにおいてＷＴＲＵの登録が許可されない場合もある。しかし、非常事態においては、システムは非常事態通知だけのために登録を受け入れることができる。これは「非常事態期間」の間に発生させることができる。非常事態期間の間は、ＷＴＲＵにページングできるように、ＷＴＲＵは登録された状態を維持することができる。これには、モビリティ管理エンティティ（ＭＭＥ）の使用が必要な場合がある。正常な状況において、ＷＴＲＵの登録が許可されない場合は、ネットワークへの登録または接続を実行し、非常事態通知メッセージを受信できるようにすることが理由であることを登録／接続メッセージが示すようにすることができる。
【００４６】
通常は登録が禁止されるＷＴＲＵの許可は、ネットワークのシステム情報に示すことができる。たとえば、ＷＴＲＵは、非常事態通知を受信するために登録することが許可されるかどうかをＷＴＲＵに通知するインジケータ（１ビット程度）を受信することができる。ＷＴＲＵは、システム情報のインジケータに基づいて登録することができる。したがって、たとえば、まだ登録／接続を実行していないＷＴＲＵは、非常事態通知が通信される可能性があることを示すシステム情報をＷＴＲＵが読み込むことに基づいて、手続き関連の登録／接続のうちの１つまたは複数を実行することができる。
【００４７】
ＷＴＲＵに公共警告メッセージが通知されたら、ＷＴＲＵはダイヤルする緊急電話番号を準備してユーザに行動を促すことができる。このような拡張機能は、ユーザがパニックに陥るのを回避するのに役に立つ。図８は、一実施形態によるＷＴＲＵ緊急手順８００のブロック図である。緊急メッセージ８０２は、ＷＴＲＵ８０４で受信される。ＷＴＲＵ  ＭＴ８０６は非常事態通知メッセージを受信する。メッセージは、連絡先の電話番号またはインターネットアドレスを含むことができる。ＷＴＲＵ  ＭＴ８０６は、たとえば、「ＭＴステータス」および「応答」プリミティブまたはＡＴコマンドなど、プリミティブまたはＡＴコマンドを通じてメッセージ８０２をＷＴＲＵ  ＴＥ８０８に伝達する。プリミティブまたはＡＴコマンドは、非常事態が発生していること、および警告が必要であることを示すことができる。また、プリミティブまたはＡＴコマンドは、詳細情報を得るために連絡する電話番号またはインターネットアドレスを含む、非常事態に関する詳細を提供することができる。
【００４８】
プリミティブまたはＡＴコマンドを受信すると、第１のアプリケーション８１０がＴＥ８０８で実行されて、緊急メッセージを受信したことをユーザに示す特殊なサウンド、ベルの音、または信号音を発することによりユーザに警告する。警報音は、非常に高いボリュームにすることができる。
【００４９】
ＴＥ８０８で実行される第２のアプリケーション８１２は、たとえば、警告メッセージと共に受信した番号または９１１など事前に構成しておいた電話番号など、ダイヤルするべき適切な非常事態用の電話番号を調べることができる。第２のアプリケーション８１２は、番号をダイヤルするようにユーザを促すことができる。たとえば、アプリケーションは、９１１にダイヤルするようにユーザを促すメッセージをＷＴＲＵの画面に表示することができる。ユーザがダイヤル要求を承認すると、第２のアプリケーション８１２は、ＡＴコマンドを使用して、９１１にダイヤルするようにＷＴＲＵ  ＭＴ８０６に指示する。
【００５０】
さらに、非常事態通知８０２を受信すると、ＷＴＲＵ８０４は、ＷＴＲＵの位置情報を含むメッセージを準備する第３のアプリケーション８１４を実行することができる。メッセージには、ＧＰＳ、セル／トラッキングエリア情報、または他の測位アプリケーションを使用して情報を入力することができる。ＷＴＲＵ  ＭＴ８０６が、緊急メッセージ８０２をＷＴＲＵ  ＴＥ８０８に伝達すると、ＴＥ８０８で実行できる第３のアプリケーション８１４は、座標など、ＷＴＲＵの位置情報を含むメッセージを作成する。位置情報は、ＧＰＳ装置、セル／トラッキングエリア情報、または他の測位アプリケーションから取得することができる。第３のアプリケーション８１４は、ユーザに指示を促すことができる。第３のアプリケーション８１４は、ＡＴコマンドを使用して、ＷＴＲＵの位置情報を含むメッセージを送信するようにＷＴＲＵ  ＭＴ８０６に指示することができる。メッセージは、たとえば、ＲＲＣまたはＮＡＳメッセージとしてＳＲＢを介して送信することも、またはＤＲＢを介して送信することもできる。また、ＷＴＲＵは、制御プレーンまたはセキュアユーザプレーン（ＳＵＰＬ：ｓｅｃｕｒｅ  ｕｓｅｒ  ｐｌａｎｅ）に基づいて、Ａｓｓｉｓｔｅｄ  ＧＰＳを使用することもできる。
【００５１】
非常事態通知がＷＴＲＵによって受信されると、ＷＴＲＵはトラッキングエリア更新（ＴＡＵ）メッセージを生成しｅＮＢに送信することができる。この操作はＷＴＲＵ  ＭＴ８０６内で実行できる。ＴＡＵメッセージは、「原因」として、非常事態メッセージに応じてＷＴＲＵがＴＡＵを伝送したことを示す情報を含むことができる。ネットワークは、ＴＡＵを利用してＷＴＲＵが位置するセルまたは地域を判断し、ＷＴＲＵの位置を判断することができる。次に、ネットワークは、特定のセル内の特定のＷＴＲＵを対象とする元の警告メッセージに加えて、より具体的なメッセージまたはフォローアップ用のメッセージを送信することができる。
【００５２】
ＷＴＲＵは、ダイヤルする番号の準備、位置情報の送信、ＴＡＵの送信、または非常事態通知の受信に関係する他の動作など、非常事態通知の受信に関連する状況のいずれにおいてもアクセス手順を実行するときに、より高いＲＡＣＨ優先度やより高いアクセスクラス（ＡＣ）など、より高いアクセス優先度を利用することができる。これにより、ＷＴＲＵによるそれらの動作の優先度付けが許可される。
【００５３】
図９は、本発明の一実施形態によるＷＴＲＵ緊急手順９００のブロック図である。非常事態通知を受信した後に、ＷＴＲＵは、異なるセルまたは異なる無線アクセス技術（ＲＡＴ）を再選択９０２することができる。ＷＴＲＵは、回線交換（ＣＳ）サービスを提供するセルを自律的に再選択することができる。また、ＷＴＲＵは手順９０４を保留することもできる。ＷＴＲＵは、すべての手順を保留することも、すべての手順の一部を保留することもできる。次に、ＷＴＲＵは、ユーザが開始した次または新しいＲＲＣ接続要求のアクセスクラスに優先度を付けることができる９０６。ユーザには、緊急通報として接続に優先度を付けるオプションを与えることができる。これにより、ユーザは非常事態用の相手以外の相手と通信できるようになる。このオプションをユーザが利用できるのは、進行中の非常事態について端末が認識しており、緊急連絡先でない特定の番号にユーザを制限できる場合に限られる。
【００５４】
社会的非常事態の間には、ネットワークは、緊急の通報やインターネットアクセスなど向けに帯域幅の使用を予約することによって無線リソースを節約しようとする場合がある。これを達成するために、ネットワークは、たとえば、ビデオの高速ダウンロードなど、優先度が低いと考えられる進行中の接続を中断することができる。ネットワークは、非常事態においてはサービス中断専用のＮＡＳ／ＲＲＣメッセージを送信することによって、進行中のサービスを中断することができる。オプションとして、ネットワークは、ＮＡＳ／ＲＲＣメッセージでＩＥを送信することができる。メッセージは、接続が中断されたのは進行中の非常事態が原因であることを端末に知らせることができる。メッセージは、非常事態に関する詳細を提供することができる。この手順は、たとえばインターネットアクセスなど、緊急通報または他の基本的なサービスに必要なサービスとの互換性がないサービスに対してＱｏＳを要求する新しいＲＲＣ  ＣＯＮＮＥＣＴＩＯＮ  ＲＥＱＵＥＳＴ／ＮＡＳ  ＳＥＲＶＩＣＥ  ＲＥＱＵＥＳＴを拒否するために、ネットワークによって利用することができる。また、ネットワークは、非常事態のために優先度が低いと考えられる無線ベアラを保留、中断、または解放することによって、進行中のサービスを中断することもできる。
【００５５】
非常事態が進行中の場合には、救急サービスだけ、またはアクセス制限を満たす他のサービスクラスだけに接続要求の数を制限することが望ましい場合がある。ユーザが緊急通報でないサービスを要求すると、ＴＥは、ＭＴの支援を受けて、社会的非常事態が進行中であることをユーザに通知することができる。ＴＥは、セッションが設定されない、かつ／または拒否される可能性があることをユーザに通知することができる。これはアプリケーションを使用して実施することができる。ＭＴプリミティブおよびＡＴコマンドはこれを実施することができる。ＴＥは、接続要求を継続する意思を確認するようにユーザに要求することができる。ＴＥは、接続要求を実行しないことに決定することができる。
【００５６】
実施形態
１．無線送受信ユニット（ＷＴＲＵ）が非常事態通知を受信する方法であって、ＷＴＲＵが、非常事態通知を伴うページングメッセージを受信するステップと、ＷＴＲＵが、システム情報ブロック内のスケジュール情報を受信するステップとを含む方法。
【００５７】
２．ＷＴＲＵは、高い優先度で複数の非常事態情報を含むシステム情報ブロックを処理するステップをさらに含む実施形態１に記載の方法。
【００５８】
３．ＷＴＲＵは、非常事態に対応する非常事態コードを受信するステップをさらに含む実施形態１または２に記載の方法。
【００５９】
４．ＷＴＲＵは、ユーザに非常事態通知を通知するステップをさらに含む実施形態３に記載の方法。
【００６０】
５．ＷＴＲＵは、ＷＴＲＵの地理的な位置に基づいて非常事態通知を受信するステップをさらに含む前記実施形態のいずれかに記載の方法。
【００６１】
６．ページングメッセージは、ＷＴＲＵに固有である前記実施形態のいずれかに記載の方法。
【００６２】
７．ＷＴＲＵは、スケジュール情報を含む第１のシステム情報ブロックと、非常事態詳細情報を含む第２のシステム情報ブロックとを受信する前記実施形態のいずれかに記載の方法。
【００６３】
８．ＷＴＲＵは、非常事態通知を受信した後にアクセス手順を実行するために、より高いアクセスクラスを利用するステップをさらに含む前記実施形態のいずれかに記載の方法。
【００６４】
９．無線送受信ユニット（ＷＴＲＵ）が非常事態通知を受信する方法であって、ＷＴＲＵが、非常事態通知を伴うページングメッセージを受信するステップと、ＷＴＲＵが、システム情報ブロック内のスケジュール情報を受信するステップであって、システム情報ブロックは複数の非常事態情報を含むステップと、ＷＴＲＵが、システム情報ブロックの優先度を高に設定するステップと、ＷＴＲＵが、優先度に基づいて複数の非常事態情報を含むシステム情報ブロックを処理するステップと、ＷＴＲＵが、非常事態に対応する非常事態コードを受信するステップと、ＷＴＲＵが、ユーザに非常事態通知を通知するステップとを含む方法。
【００６５】
１０．ＷＴＲＵは、ＷＴＲＵの地理的な位置に基づいて非常事態通知を受信するステップをさらに含む実施形態９に記載の方法。
【００６６】
１１．ページングメッセージは、ＷＴＲＵに固有である実施形態９または１０に記載の方法。
【００６７】
１２．ＷＴＲＵは、スケジュール情報を含む第１のシステム情報ブロックと、非常事態詳細情報を含む第２の情報ブロックとを受信する実施形態９〜１１のいずれか１つに記載の方法。
【００６８】
１３．非常事態通知を受信するように構成された無線送受信ユニット（ＷＴＲＵ）であって、システム情報ブロック内の非常事態通知用のスケジュール情報を伴うページングメッセージを受信するように構成された受信機と、システム情報ブロックの優先度を高に設定し、かつ優先度に基づいて複数の非常事態情報を含むシステム情報ブロックを処理するように構成されたプロセッサとを備えたＷＴＲＵ。
【００６９】
１４．受信機は、非常事態に対応する非常事態コードを受信するようにさらに構成されている実施形態１３に記載のＷＴＲＵ。
【００７０】
１５．ユーザに非常事態通知を通知するように構成されたユーザインターフェイスをさらに備えた実施形態１３または１４に記載のＷＴＲＵ。
【００７１】
１６．受信機は、ＷＴＲＵの地理的な位置に基づいて非常事態通知を受信するようにさらに構成されている実施形態１３〜１５のいずれか１つに記載のＷＴＲＵ。
【００７２】
１７．ページングメッセージは、ＷＴＲＵに固有である実施形態１３〜１６のいずれか１つに記載のＷＴＲＵ。
【００７３】
１８．受信機は、スケジュール情報を含む第１のシステム情報ブロックと、非常事態詳細情報を含む第２のシステム情報ブロックとを受信するようにさらに構成されている実施形態１３〜１７のいずれか１つに記載のＷＴＲＵ。
【００７４】
１９．非常事態通知を受信するように構成された無線送受信ユニット（ＷＴＲＵ）において、非常事態通知を伴うページングメッセージ、システム情報ブロック内のスケジュール情報、および非常事態に対応する非常事態コードを受信するように構成された受信機であって、システム情報ブロックは複数の非常事態情報を含む受信機と、システム情報ブロックの優先度を高に設定し、かつシステム情報ブロックの優先度に基づいて複数の非常事態情報を含むシステム情報ブロックを処理するように構成されたプロセッサと、ユーザに非常事態通知を通知するように構成されたユーザインターフェイスとを備えたＷＴＲＵ。
【００７５】
２０．受信機は、ＷＴＲＵの地理的な位置に基づいて非常事態通知を受信するようにさらに構成されている実施形態１９に記載のＷＴＲＵ。
【００７６】
２１．ページングメッセージは、ＷＴＲＵに固有のものである実施形態１９または２０に記載のＷＴＲＵ。
【００７７】
２２．受信機は、スケジュール情報を含む第１のシステム情報ブロックと、非常事態詳細情報を含む第２のシステム情報ブロックとを受信するようにさらに構成されている実施形態１９〜２１のいずれか１つに記載のＷＴＲＵ。
【００７８】
２３．無線送受信ユニット（ＷＴＲＵ）が非常事態通知を受信する方法であって、ＷＴＲＵが、非常事態通知を受信するステップと、ＷＴＲＵが、ユーザによって開始された無線リソース制御（ＲＲＣ）接続要求のアクセスクラスに自律的に優先度付けするステップとを含む方法。
【００７９】
上記の特徴および要素は特定の組み合わせを用いて説明されているが、各特徴または要素は、他の特徴および要素を用いずに単独で用いることが可能である。または他の特徴および要素を用いてもしくは用いずにさまざまな組み合わせで用いることができる。本明細書に記載の方法またはフローチャートは、汎用コンピュータまたはプロセッサによって実行するためにコンピュータで読み出し可能な記憶媒体に組み込まれているコンピュータプログラム、ソフトウェア、またはファームウェアに実装することができる。コンピュータで読み出し可能な記憶媒体の例としては、読み出し専用メモリ（ＲＯＭ）、ランダムアクセスメモリ（ＲＡＭ）、レジスタ、キャッシュメモリ、半導体記憶装置、内蔵型ハードディスクおよび取り外し可能ディスクなどの磁気媒体、光磁気媒体、およびＣＤ−ＲＯＭディスクなどの光学式媒体、ならびにデジタル多用途ディスク（ＤＶＤ）などがある。
【００８０】
適したプロセッサの例を挙げると、汎用プロセッサ、特殊用途向けプロセッサ、従来のプロセッサ、デジタル信号プロセッサ（ＤＳＰ）、複数のマイクロプロセッサ、ＤＳＰコアと共に用いる１つまたは複数のマイクロプロセッサ、コントローラ、マイクロコントローラ、特定用途向け集積回路（ＡＳＩＣ）、書き替え可能ゲートアレイ（ＦＰＧＡ）回路、その他の種類の集積回路（ＩＣ）、および／または状態遷移機械などがある。
【００８１】
プロセッサをソフトウェアと共に使用することで、無線送受信ユニット（ＷＴＲＵ）、ユーザ装置（ＵＥ）、端末、基地局、無線ネットワーク制御装置（ＲＮＣ）、または任意のホストコンピュータで使用するＲＦ送受信機を実装することができる。ＷＴＲＵは、カメラ、ビデオカメラモジュール、テレビ電話、スピーカーホン、振動装置、スピーカー、マイクロホン、テレビの送受信装置、ハンドフリーヘッドセット、キーボード、Ｂｌｕｅｔｏｏｔｈ（登録商標）モジュール、周波数変調（ＦＭ）無線装置、ＬＣＤ（ｌｉｑｕｉｄ  ｃｒｙｓｔａｌ  ｄｉｓｐｌａｙ）表示装置、有機発光ダイオード（ＯＬＥＤ）表示装置、デジタル音楽プレーヤ、メディアプレーヤ、ビデオゲームプレーヤモジュール、インターネットブラウザ、および／または任意の無線ローカルエリアネットワーク（ＷＬＡＮ）モジュールもしくはウルトラワイドバンド（ＵＷＢ）モジュールなど、ハードウェアおよび／またはソフトウェアに実装されたモジュールと共に使用することができる。
【図１】
0005280464.tif 000003
【図２】
0005280464.tif 000004
【図３】
0005280464.tif 000005
【図４】
0005280464.tif 000006
【図５】
0005280464.tif 000007
【図６】
0005280464.tif 000008
【図７】
0005280464.tif 000009
【図８】
0005280464.tif 000010
【図９】
0005280464.tif 000011